(57)【要約】      （修正有）【課題】誰でも容易に任意の文字や図案を、観葉植物の花びらやガク、葉の表面にデザインとしての装飾を長く維持させることが可能な装飾付き観葉植物を提供する。【解決手段】印刷可能なデカール、例えば、耐水デカールや人体用のタトゥーシールを用いて、任意に作成し文字３ａや図案３ｂをデザインとして、これらを植物の花びら２、ガク、葉に付した装飾部を備えた構成とする。当該植物は、胡蝶蘭などの生体植物であり、胡蝶蘭を使用したドライフラワー、プリザーブドフラワーのいずれかである。【選択図】図１
0003232362.tif 000002
【実用新案登録請求の範囲】
【請求項１】
任意の文字や図案をデザインしたデカールを用いて、植物の花びら、ガク、葉に装飾層を備えたことを特徴とする装飾付き観葉植物。
【請求項２】
前記デカールは、耐水デカールであることを特徴とする請求項１に記載の装飾付き観葉植物。
【請求項３】
前記デカールは、タトゥーシールであることを特徴とする請求項１に記載の装飾付き観葉植物。
【請求項４】
前記デカールは、ウォータースライドデカールであることを特徴とする請求項１に記載の装飾付き観葉植物。
【請求項５】
前記植物の花びら、ガク、葉の原形を保つ程度に前記デカールを押圧状態におくことにより装飾層を備えたことを特徴とする請求項１乃至請求項４に記載の装飾付き観葉植物。
【請求項６】
前記任意の文字や図案の作成は、プリンターによる印刷又は手書きによるものであることを特徴とする請求項１乃至請求項５のいずれかに記載の装飾付き観葉植物。
【請求項７】
前記植物は、生体植物、ドライフラワー、プリザーブドフラワーのいずれかであることを特徴とする請求項１乃至請求項６のいずれかに記載の装飾付き観葉植物。
【請求項８】
前記生体植物は胡蝶蘭であり、又、前記ドライフラワー、前記プリザーブドフラワーは胡蝶蘭を使用したものであることを特徴とする請求項７に記載の装飾付き観葉植物。
【考案の詳細な説明】
【技術分野】
【０００１】
本考案は、花びらやガク、葉へ任意の装飾を施した植物に関するものである。
【背景技術】
【０００２】
従来、贈答用の植物に、メッセージカードや木札へお祝いや感謝の文言を記載して届けることが行われている。
【０００３】
花びら等へ直接所望の文字や図案を印刷する技術は確立されていないが、文字や模様が型抜きされたステンシルシートを花弁に押し当て、型抜き部分に化粧パウダーを塗り付けることにより描く技術が開示されている（先行文献１）。
【先行技術文献】
【特許文献】
【０００４】
【特許文献１】特許第４９８２９０１号公報
【考案の概要】
【考案が解決しようとする課題】
【０００５】
特許文献１に記載の技術によると、所望のメッセージや図案等で装飾を施す場合には、自身で型抜きを行う必要があるところ、複雑な図案等では当該型抜き作業は容易ではない。また、化粧パウダーが飛散したり、湿気や水やり等の水分により該パウダーが流れてしまったりすると、せっかくのデザインが損なわれるという問題があった。
【０００６】
そこで、本考案は、誰でも容易に任意の文字や図案を花びら等に装飾を施すことができる装飾付き観葉植物であり、さらには該装飾が容易に損なわれることなく長持ちする装飾付き観葉植物を提供することを目的とする。
【課題を解決するための手段】
【０００７】
上記課題を解決するため、請求項１に記載の考案は、任意の文字や図案をデザインしたデカールを用いて、植物の花びら、ガク、葉に装飾層を備えたことを特徴とする。
【０００８】
また、請求項２に記載の考案は、請求項１に記載の構成において、前記デカールが、耐水デカールであることを特徴とする。
【０００９】
また、請求項３に記載の考案は、請求項１に記載の構成において、前記デカールが、タトゥーシールであることを特徴とする。
【００１０】
また、請求項４に記載の考案は、請求項１に記載の構成において、前記デカールが、ウォータースライドデカールであることを特徴とする。
【００１１】
また、請求項５に記載の考案は、請求項１乃至請求項４に記載の構成において、前記植物の花びら、ガク、葉の原形を保つ程度に前記デカールを押圧状態におくことにより装飾層を備えたことを特徴とする。
【００１２】
また、請求項６に記載の考案は、請求項１乃至請求項５のいずれかに記載の構成において、前記任意の文字や図案の作成が、プリンターによる印刷又は手書きによるものであることを特徴とする。
【００１３】
また、請求項７に記載の考案は、請求項１乃至請求項６のいずれかに記載の構成において、前記植物が、生体植物、ドライフラワー、プリザーブドフラワーのいずれかであることを特徴とする。
【００１４】
また、請求項８に記載の考案は、請求項７に記載の構成において、前記生体植物が胡蝶蘭であり、又、前記ドライフラワー、前記プリザーブドフラワーが胡蝶蘭を使用したものであることを特徴とすることを特徴とする。
【考案の効果】
【００１５】
本考案によれば、任意にデザイン可能なデカールを使用することで、誰でも簡単に文字や図案をデザインし、これらを装飾層として植物の花びらやガク、葉へ施すことができ、当該装飾層を長持ちさせることが可能となる。
【図面の簡単な説明】
【００１６】
【図１】本考案の実施形態にかかる外観の一例を示した概念図
【図２】印刷シートへ任意のデザインを印刷した状態を示す概略図
【図３】糊シートの層構造の一例を示す概略図
【図４】印刷シートの層構造の一例を示す概略図
【図５】印刷シートの印刷面へ印刷した状態を示す概略図
【図６】糊シートと印刷シートとを張り合わせた状態を示す概略図
【図７】切り取ったタトゥーシールを花びらへ貼り付ける工程を模式的に示した図
【考案を実施するための形態】
【００１７】
以下、本考案の実施の形態について、図面を参照しながら説明する。
図１は、本考案の実施形態にかかる外観の一例を示した図であり、任意の文字３ａ及び図案３ｂが花びら２へ装飾層として貼り付けられたことを示す。図２は、タトゥーシールを構成する印刷シート１０の印刷面２１１へ任意に作成した文字３ａ及び図案３ｂを印刷した状態を示す図である。図３は、本考案に係るデカールのうち、タトゥーシールであって、これを構成する糊シート１０の層構造の一例を示し、図４は、タトゥーシールを構成する印刷シート２０の層構造の一例を示す。図５は、印刷シート２０の印刷面２１１へ任意の文字等の装飾部３を印刷した状態を示す。図６は、裏紙１２を剥がした糊シート１０を、接着層１３を介して印刷済みの印刷シート２０と張り合わせた状態を示し、図７は、この張り合わせた状態で印刷領域に沿って図６中の切断線Ｌで切り取ったタトゥーシール３０を花びら２へ貼り付ける工程を模式的に示した図である。
尚、本考案の理解を助けるために、当該図面においては大きさや厚さ等の関係は誇張して示している。
【００１８】
デカールとは、decalcomania（デカルコマニア）の略で、一般には、印刷・加工工程を終えて転写するだけの状態になったシートを言うが、本考案に係るデカールとは、特に言及しない限り、印刷前の状態のものを含むものとする。
【００１９】
また、デカールには、ドライデカールのように、フィルムの上から擦ることにより図柄を被転写物へ写すタイプのデカールがあるが、本考案においては、主に耐水デカール、タトゥーシール、ウォータースライドデカールといった、いわゆる水スライド式のデカールを指す。但し、転写可能な対象であれば、特に限定するものではない。
【００２０】
本考案に係るタトゥーシールは、糊シート１０（図３）と印刷シート２０（図４）とから構成され、人体用として市場において入手可能である。インジェクトプリンターやレーザープリンターなど身近な汎用プリンターを使用して、任意の文字や図案をタトゥーシールとして印刷することができる。
なお、手描きでデザインすることを排除するものではない。
【００２１】
本考案に係る糊シート１０は、フィルム１１と裏紙１２とが接着層１３を介して貼り合わされた構成となっており（図３）、印刷シート２０は、基材２２上に印刷面としてのコーティング層２１が設けられている（図４）。
【００２２】
以下に、パーソナルコンピュータ等で作成した所望の文字や図案を前記印刷シート２０の印刷面２１１へ印刷し、これを花びらへ貼り付けるまでの工程を順に説明する。
本実施の形態においては、「お祝い」の文字３ａと、「ハート」「星」「だるま」の図案３ｂを作成し、印刷したものである。
【００２３】
印刷が完了した印刷シート２０（図５）は、十分に乾燥させるものとする。自然乾燥又はドライヤーで乾燥させることとしても良い。
【００２４】
タトゥーシールは、人の皮膚の水分や油分を考慮して開発されているところ、生花の花びらにも水分や油分が含まれ、人肌と同様に使用できることを考案者らは見出した。人肌への負担を極力抑えつつ、貼り付けた状態が長く続くような設計となっている点に着目し、これを生花花びらに使用したところ、これを使用しない花びらと比較しても花の寿命に殆ど変わりはなかった。
【００２５】
印刷シート２０の乾燥を確認した後、糊シート１０から裏紙１２を剥がし、糊シート１０の接着層１３を印刷シートの印刷面２１１（基材２２とは反対側の面）へ貼り合わせる（図５）。
【００２６】
次に、この糊シート１０と印刷シート２０とを貼り合わせた状態で、印刷した装飾部３の外周（＝切断線Ｌ）に沿ってハサミで切り取ってゆく（図６）。なお、図２中、文字３ａが左右反転しているのは、この反転した表面に粘着層を付し、花びら２へ貼り付けたときに正しい向きとなるようにしたものである。
【００２７】
切り取った個々のタトゥーシール３０のフィルム１１を剥がした後、花びら２上の任意の位置へ接着層１３を介して貼り付ける。貼り付けた後、基材２２の表面をティッシュペーパーや綿棒等で水に濡らしてしばらくすると基材２２が剥がれ、印刷した文字や図案だけが花びら２上に残ることとなる（図７）。
【００２８】
このとき、原形を保つ程度に、押圧状態にしておくことが好ましい。例えば、人差指と親指とでタトゥーシールと花びらを挟むことにより、気泡が入らず、しっかりと貼り付けることが可能となる。
【産業上の利用可能性】
【００２９】
本考案は、胡蝶蘭のみならず、他の植物の花びら等にも利用することができる。
【符号の説明】
【００３０】
１      生花
２      花びら
３      装飾部
３ａ    装飾部（文字）
３ｂ    装飾部（図案）
１０    糊シート
１１    フィルム
１２    裏紙
１３    接着層
２０    印刷シート
２１    コーティング層
２１１  印刷面
２２    基材
３０    切り取ったタトゥーシール
L    切断線
【図１】
0003232362.tif 000003
【図２】
0003232362.tif 000004
【図３】
0003232362.tif 000005
【図４】
0003232362.tif 000006
【図５】
0003232362.tif 000007
【図６】
0003232362.tif 000008
【図７】
0003232362.tif 000009